(57)【特許請求の範囲】
【請求項１】
シート束を積載トレイ上に積載して収納するシート収納部と、
前記積載トレイに積載されたシート束を鉛直方向に昇降させるシート昇降手段と、
前記シート昇降手段により上昇された前記シート束に対し、シート搬送方向下流側から送風し、前記シート束の少なくとも前記最上位シートを含む上位部のシートを浮揚させてシート間を分離させるエアー送風部と、
シート吸着搬送ベルトおよびこのシート吸着搬送ベルトの表面に形成されたエアー吸引孔を有し、前記エアー吸引孔からエアーを吸引することで前記最上位シートを前記シート吸着搬送ベルトに吸着するとともに、前記シート吸着搬送ベルトを回転させることで前記最上位シートを搬送するシート吸着搬送手段と、
前記シート吸着搬送手段のシート搬送方向下流側に設けられ、前記シート吸着搬送手段により搬送された最上位シートを更に搬送する下流側シート搬送手段と、
前記シート吸着搬送手段、および前記下流側シート搬送手段を制御する制御手段と、を備えたシート搬送装置であって、
前記シート吸着搬送ベルトが、前記シート吸着搬送ベルトの回転方向において摩擦係数の低い低摩擦部および摩擦係数の高い高摩擦部とに区分され、
前記制御手段は、
前記高摩擦部が前記最上位シートに対向する状態で前記エアー吸引孔からエアーを吸引するとともに前記シート吸着搬送ベルトの回転を開始し、前記最上位シートが前記下流側シート搬送手段に到達するとともに前記低摩擦部が前記最上位シートに接触する位置で前記シート吸着搬送ベルトの回転を停止し、前記エアー吸引孔からのエアーの吸引を継続するとともに前記下流側シート搬送手段により前記最上位シートを搬送するよう制御し、
前記最上位シートが前記下流側シート搬送手段に到達したときに前記低摩擦部が前記最上位シートに接触するよう、前記低摩擦部の長さ、前記高摩擦部の長さ、および前記シート吸着搬送ベルトと前記下流側シート搬送手段との距離を設定したことを特徴とするシート搬送装置。
【請求項２】
前記シート吸着搬送ベルトが、前記低摩擦部と前記高摩擦部とで、表面状態が異なることを特徴とする請求項１に記載のシート搬送装置。
【請求項３】
請求項１または請求項２に記載のシート搬送装置を備えることを特徴とする画像形成装置。
【発明の詳細な説明】
【技術分野】
【０００１】
本発明は、シート束からエアー吸引により最上位シートを分離して搬送するシート搬送装置および画像形成装置に関する。
【背景技術】
【０００２】
従来、デジタルコピー機、プリンタ装置、ファクシミリ装置、オフセット印刷機等の画像形成装置に搭載され、用紙などの被記録媒体（以下、「シート」という）を給紙するためのシート搬送装置として、例えば、エアー吸引式のシート搬送装置が知られている。
【０００３】
エアー吸引式のシート搬送装置の一例を図７および図８に示す。
【０００４】
図７に示すように、シート搬送装置１０１は、シート収納部１１１の上方にシート吸着搬送ベルト１１２Ｃを備えたシート吸着搬送手段１１２が設けられており、水平面である積載トレイ１１１Ａ上に積載された複数枚のシート（以下、「シート束」ともいう）１０２の鉛直方向の最も上部に位置するシート（以下、「最上位シート」という）１０２Ａを、エアー吸引部１１３によって１枚ずつシート吸着搬送ベルト１１２Ｃに吸着して所定の位置に搬送するように構成されている。
【０００５】
また、シート搬送方向の下流側（図の右側）には、送風部１１４が設けられ、シート束１０２の一端にエアーを送風することにより、最上位シート１０２Ａの近傍のシートを１枚ずつ分離する。一方、送風部１１４からの送風による影響を受けない上流側の端部には、位置検出センサ１１６が設けられている。位置検出センサ１１６は、位置検出部（例えば、デジタルセンサ）１１６Ａと、上面位置検出レバー１１６Ｂとを有している。
【０００６】
積載トレイ１１１Ａは、シート昇降駆動手段１１８に接続され、昇降運動可能である。積載トレイ１１１Ａとともにシート束１０２が上昇し、最上位シート１０２Ａが上面位置検出レバー１１６Ｂに接触し、上面位置検出レバー１１６Ｂが押し上げられる力を受けることにより、最上位シート１０２Ａの位置が検出されるように構成されている。
【０００７】
シート吸着搬送ベルト１１２Ｃの表面には、全域に多数の吸引孔（図示せず）が形成されている。エアー吸引部１１３からのエアー吸引により、吸引孔を介してシート吸着搬送ベルト１１２Ｃに最上位シート１０２Ａが吸着されるようになっている。
【０００８】
図８を参照して、シート搬送装置１０１のシート搬送動作を説明する。
【０００９】
まず、シート昇降駆動手段１１８により、積載トレイ１１１Ａを昇降させ、シート束１０２の最上位シート１０２Ａの搬送方向上流側の端部が、位置検出センサ１１６により検出されたか否かの判断を行う。検出されない場合、すなわち、最上位シート１０２Ａが上面位置検出レバー１１６Ｂに接触していない場合、シート昇降駆動手段１１８は積載トレイ１１１Ａをさらに上昇させ、最上位シート１０２Ａが上面位置検出レバー１１６Ｂに接触した場合、シート昇降駆動手段１１８は積載トレイ１１１Ａを停止させる。
【００１０】
次に、送風部１１４により、シート束１０２にエアーを送風し、最上位シート１０２Ａを含む近傍のシートを１枚ずつ分離する。浮揚した最上位シート１０２Ａを、エアー吸引部１１３からのエアー吸引によりシート吸着搬送ベルト１１２Ｃに吸着させ、シート吸着搬送ベルト１１２Ｃを駆動装置１１７により回転させることにより、吸着された最上位シート１０２Ａを所定の位置まで搬送する。この動作を給紙タイミングに合わせて繰り返すことで、シートを連続して次々と所定位置まで搬送するようになっている。
【００１１】
このようなエアー吸引式のシート搬送装置１０１においては、最上位シート１０２Ａの搬送後にシート吸着搬送ベルト１１２Ｃが回転し続けると、狙いのタイミングでシート搬送をすることができないため、所定位置までシート吸着搬送ベルト１１２Ｃでシート搬送した後に、シート吸着搬送ベルト１１２Ｃの回転を停止する必要がある。
【００１２】
そこで、シート搬送装置１０１では、シート吸着搬送ベルト１１２Ｃの回転を停止させてもシート搬送することができるようにするために、シート吸着搬送ベルト１１２Ｃが最上位シート１０２Ａを搬送する所定位置の手前側（シート搬送方向下流側）に図示しないローラ対からなるシート搬送手段を別途設け、シート吸着搬送ベルト１１２Ｃを停止した後に、この別途設けたシート搬送手段によりシートを引っ張ることで、狙いのタイミングでシート搬送をすることができる。
【００１３】
また、エアー吸引式のシート搬送装置としては、複数枚のシートを連続して搬送するときには、シート１枚ごとに吸引を停止せずに最後のシートまで吸引を継続するとともに、シートを１枚搬送するごとにシート吸着搬送ベルトを停止させ、先に搬送したシートが搬送ローラ対によって所定量搬送された後、再びシート吸着搬送ベルトによって次のシートの搬送を開始し、ブレーキ機構により即座に搬送ベルトを停止することができるようにした技術が知られている（例えば、特許文献１参照）。特許文献１の技術では、シート間隔を小さくしても、先のシートと次のシートとが重なって搬送されてしまう重送を招くことなく高速化を実現することができる。
【発明の概要】
【発明が解決しようとする課題】
【００１４】
しかしながら、図７、図８に示す従来の技術では、シート吸着搬送ベルト１１２Ｃの停止後もシート吸着搬送ベルト１１２Ｃの表面の吸引孔からエアーを吸引しているため、シート吸着搬送ベルト１１２Ｃにシートが吸着されている状態で、別途設けたシート搬送手段によりシートを引っ張ることになり、シート吸着搬送ベルト１１２Ｃの表面とシートとの間に摩擦が発生し、シートがダメージを受けたりシート吸着搬送ベルト１１２Ｃが摩耗してしまうという問題があった。
【００１５】
また、特許文献１に記載された技術も、上記と同様の理由によりシート吸着搬送ベルト１１２Ｃが摩耗してしまうという問題があった。
【００１６】
本発明はこのような問題を解決するためになされたもので、シート吸着搬送ベルトの摩耗を低減することができるシート搬送装置および画像形成装置を提供するものである。
【課題を解決するための手段】
【００１７】
本発明に係るシート搬送装置は、シート束を積載トレイ上に積載して収納するシート収納部と、前記積載トレイに積載されたシート束を鉛直方向に昇降させるシート昇降手段と、前記シート昇降手段により上昇された前記シート束に対し、シート搬送方向下流側から送風し、前記シート束の少なくとも前記最上位シートを含む上位部のシートを浮揚させてシート間を分離させるエアー送風部と、シート吸着搬送ベルトおよびこのシート吸着搬送ベルトの表面に形成されたエアー吸引孔を有し、前記エアー吸引孔からエアーを吸引することで前記最上位シートを前記シート吸着搬送ベルトに吸着するとともに、前記シート吸着搬送ベルトを回転させることで前記最上位シートを搬送するシート吸着搬送手段と、前記シート吸着搬送手段のシート搬送方向下流側に設けられ、前記シート吸着搬送手段により搬送された最上位シートを更に搬送する下流側シート搬送手段と、前記シート吸着搬送手段、および前記下流側シート搬送手段を制御する制御手段と、を備えたシート搬送装置であって、前記シート吸着搬送ベルトが、前記シート吸着搬送ベルトの回転方向において摩擦係数の低い低摩擦部および摩擦係数の高い高摩擦部とに区分され、前記制御手段は、前記高摩擦部が前記最上位シートに対向する状態で前記エアー吸引孔からエアーを吸引するとともに前記シート吸着搬送ベルトの回転を開始し、前記最上位シートが前記下流側シート搬送手段に到達するとともに前記低摩擦部が前記最上位シートに接触する位置で前記シート吸着搬送ベルトの回転を停止し、前記エアー吸引孔からのエアーの吸引を継続するとともに前記下流側シート搬送手段により前記最上位シートを搬送するよう制御し、前記最上位シートが前記下流側シート搬送手段に到達したときに前記低摩擦部が前記最上位シートに接触するよう、前記低摩擦部の長さ、前記高摩擦部の長さ、および前記シート吸着搬送ベルトと前記下流側シート搬送手段との距離を設定したことを特徴とする。
【００１８】
この構成により、最上位シートが低摩擦部に接触した状態でこの最上位シートが下流側シート搬送手段により搬送方向下流側に引っ張られるときに、最上位シートがシート吸着搬送ベルトの低摩擦部に接しているので、最上位シートとシート吸着搬送ベルトとの間の摩擦が少なくなり、摩擦による最上位シートへのダメージを防止できるとともに、シート吸着搬送ベルトの摩耗を低減し摩耗箇所を低摩擦部に限定することができる。
【００１９】
したがって、シート吸着搬送ベルトの摩耗を低減することができる。
【００２０】
また、本発明に係るシート搬送装置は、前記シート吸着搬送ベルトが、前記低摩擦部と前記高摩擦部とで、表面状態が異なることを特徴とする。
【００２１】
この構成により、低摩擦部と高摩擦部とを、同じ材質を用いて構成したまま、表面状態を異ならせることができ、製造コストを低減することができる。
【００２２】
本発明に係る画像形成装置は、前記のシート搬送装置を備えることを特徴とする。
【００２３】
この構成により、シート搬送装置を備える画像形成装置において、シート吸着搬送ベルトの摩耗を低減することができる。
【発明の効果】
【００２４】
本発明によれば、シート吸着搬送ベルトの摩耗を低減することができるシート搬送装置および画像形成装置を提供することができる。
【図面の簡単な説明】
【００２５】
【図１】本発明の一実施の形態に係るシート搬送装置を備えた画像形成装置の概略構成図である。
【図２】本発明の一実施の形態に係るシート搬送装置の断面図である。
【図３】本発明の一実施の形態に係るシート搬送装置のシート搬送動作を説明する断面図である。
【図４】本発明の一実施の形態に係るシート搬送装置の図３の矢印Ｚ方向からの断面図である。
【図５】本発明の一実施の形態に係るシート搬送装置の制御手段を示すブロック図である。
【図６】本発明の一実施の形態に係るシート搬送装置のシート搬送動作を説明する拡大断面図であり、（ａ）は、シート吸着搬送ベルトの回転開始時の状態であり、（ｂ）は、シート吸着搬送ベルトの回転停止時の状態である。
【図７】従来のシート搬送装置の一例を示す概略断面図である。
【図８】図７のシート搬送装置の動作を説明する図である。
【発明を実施するための最良の形態】
【００２６】
以下、本発明の実施の形態について、図面を参照して説明する。
【００２７】
まず、構成について説明する。
【００２８】
図１に示すように、画像形成装置５１は、電子写真方式のデジタルコピー機として構成されており、原稿を読取る原稿読取部５２と、シート搬送装置１から搬送される最上位シート（記録紙）２Ａに対し原稿読取部５２が読取った画像を形成する画像形成部５３と、シート束２から１枚の最上位シート２Ａを分離して画像形成部５３に搬送するシート搬送装置１とを備えている。
【００２９】
シート搬送装置１により搬送された最上位シート２Ａは、搬送ローラ対５８により移送され、画像形成部５３で形成されたトナー画像が転写装置５９により転写され、このトナー画像が定着器６０により熱転写され、排紙ローラ対６１により排紙トレイ６２に排出されるようになっている。
【００３０】
以下、図２〜図６を参照して、シート搬送装置１の詳細について説明する。
【００３１】
シート搬送装置１は、図２〜図４に示すように、シート収納部１１と、シート吸着搬送手段１２と、エアー吸引部１３と、エアー送風部１４と、駆動部１７と、シート昇降手段１８と、を備えている。また、シート搬送装置１は、図５に示すように、エアー吸引部１３と、エアー送風部１４と、駆動部１７と、シート昇降手段１８と、を制御する制御手段１９を備えている。
【００３２】
シート収納部１１は、水平面である積載トレイ１１Ａを有しており、積載トレイ１１Ａに積層された複数枚のシート束２を収納するようになっている。シート収納部１１には、制御手段１９に接続されたシート昇降手段１８が駆動連結されており、シート昇降手段１８が駆動することにより積載トレイ１１Ａが昇降し、シート収納部１１内のシート束２が昇降することができるように構成されている。シート昇降手段１８は、積載トレイ１１Ａを任意の量だけ上昇させることができるように、ステッピングモータや、エンコーダが付いたサーボモータを備えて構成されている。
【００３３】
シート吸着搬送手段１２は、制御手段１９に接続された駆動部１７に駆動連結されており、２つのローラ１２Ａ、１２Ｂを掛け渡すシート吸着搬送ベルト１２Ｃを備えている。シート吸着搬送ベルト１２Ｃには、図４に示すように、全体にわたって多数の吸引孔１２Ｄが形成されており、シート吸着搬送ベルト１２Ｃの内周になる空間には、吸引孔１２Ｄからエアーを吸引するためのエアー吸引部１３が設けられている。
【００３４】
シート吸着搬送ベルト１２Ｃは、図６に示すように、その回転方向において、摩擦係数の低い低摩擦部３２、３４および摩擦係数の高い高摩擦部３１、３３とに区分されている。低摩擦部３２、３４と高摩擦部３１、３３とは、表面状態が異なっている。シート吸着搬送手段１２のシート搬送方向下流側には、シート吸着搬送手段１２により搬送された最上位シート２Ａを更に搬送する下流側シート搬送手段２１が設けられている。
【００３５】
エアー吸引部１３は、制御手段１９に接続されており、制御手段１９による制御によってエアーを吸引することにより、図３、図４に示すようにシート収納部１１に積層されたシート束２のうち、鉛直方向の最も上部に位置する最上位シート２Ａを、１枚ずつシート吸着搬送ベルト１２Ｃに吸着して分離するとともに、最上位シート２Ａを吸着した状態で駆動部１７が制御手段１９による制御により駆動されてシート吸着搬送ベルト１２Ｃが回転することにより、この最上位シート２Ａをシート搬送装置１から画像形成装置５１の内部に搬送するようになっている。
【００３６】
シート束２は、第１の辺２Ｂと第２の辺２Ｃとからなる一対の辺と、第３の辺２Ｄと第４の辺２Ｅ（図４）とからなる一対の辺とにより規定される長方形状をなしている。第３の辺２Ｄと第４の辺２Ｅは、それぞれシート吸着搬送手段１２の２つのローラ１２Ａ、１２Ｂを結ぶ方向となるように配置されており、第１の辺２Ｂは、図２において右端のシート搬送方向下流側に位置し、第２の辺２Ｃは、図２において左端のシート搬送方向の上流側に位置している。
【００３７】
エアー送風部１４は、図３に示すように最上位シート２Ａの第１の辺２Ｂ近傍の位置であって、第の１辺２Ｂに対向する位置に設けられており、制御手段１９に接続されている。エアー送風部１４は、シート束２に対してエアーを送風することにより、最上位シート２Ａおよび最上位シート２Ａの第１の辺２Ｂ付近のシートを浮揚させ、最上位シート２Ａを含む複数のシートを互いに分離するようになっている。
【００３８】
なお、本実施の形態では、第１の辺２Ｂに対向する位置のみにエアー送風部１４を配置しているが、エアー送風部１４を、第３の辺２Ｄ、第４の辺２Ｅの対向する位置に配置してもよい。また、制御手段１９には、シート束２の最上位シート２Ａの鉛直方向位置を検出する図示しない最上位シート位置検出手段が接続されおり、最上位シート２Ａの鉛直方向位置に基づいて、制御手段１９が、エアー吸引部１３による最上位シート２Ａの吸引に最適な鉛直方向位置にシート束２が上昇するようシート昇降手段１８を制御したり、シート吸着搬送ベルト１２Ｃを回転する駆動部１７を制御するようになっている。
【００３９】
以上のように構成されたシート搬送装置１の動作を説明する。
【００４０】
シート搬送装置１においては、制御手段１９は、図６（ａ）に示すように、高摩擦部３１が最上位シート２Ａに対向する状態で吸引孔１２Ｄからエアーを吸引するとともにシート吸着搬送ベルト１２Ｃの回転を開始する。なお、図６（ａ）では、吸引されたシートが既にシート吸着搬送ベルト１２Ｃに接触した状態となっている。
【００４１】
次いで、制御手段１９は、図６（ｂ）に示すように、最上位シート２Ａが下流側シート搬送手段２１に到達するとともに低摩擦部３４が最上位シート２Ａに接触する位置でシート吸着搬送ベルト１２Ｃの回転を停止する。すなわち、シート吸着搬送ベルト１２Ｃは、シート搬送ごとに同じ位置（低摩擦部３４または低摩擦部３２が最上位シート２Ａに接触した状態となる位置）で停止するようになっている。
【００４２】
次いで、制御手段１９は、吸引孔１２Ｄからのエアーの吸引を継続するとともに下流側シート搬送手段２１により最上位シート２Ａを搬送する。
【００４３】
なお、次のシートを吸着および搬送するときは、高摩擦部３３により搬送を行い、低摩擦部３２が当該次のシートに接した状態でシート吸着搬送ベルト１２Ｃを停止する。
【００４４】
このようにすることで、図２（ａ）の状態では、最上位シート２Ａが低摩擦部３４に接触した状態でこの最上位シート２Ａが下流側シート搬送手段２１により搬送方向下流側に引っ張られるときに、最上位シート２Ａがシート吸着搬送ベルト１２Ｃの低摩擦部３４に接しているので、最上位シート２Ａとシート吸着搬送ベルト１２Ｃとの間の摩擦が少なくなり、摩擦による最上位シート２Ａへのダメージを防止できるとともに、シート吸着搬送ベルト１２Ｃの摩耗を低減し摩耗箇所を低摩擦部３２、３４に限定することができる。厳密には、シート吸着搬送ベルト１２Ｃの低摩擦部３２、３４は、最上位シート２Ａとの摩擦が少ないながらも、低摩擦にしなかった場合より少ない程度で僅かに摩耗が進行するが、摩耗する箇所が低摩擦部３２、３４に限定され、高摩擦部３１、３３が摩耗することがないので、低摩擦部３２、３４が摩耗しても最上位シート２Ａの搬送には影響しない。
【００４５】
なお、シート吸着搬送ベルト１２Ｃの停止位置の制御は、例えば、シート吸着搬送ベルト１２Ｃに位置検出用の穴を開けておきその穴を位置検出用のセンサで検出することにより行われる。
【００４６】
また、低摩擦部３２、３４の長さ、高摩擦部３１、３３の長さ、およびシート吸着搬送ベルト１２Ｃと下流側シート搬送手段２１との距離は、最上位シート２Ａが下流側シート搬送手段２１に到達したときに低摩擦部３２、３４が最上位シート２Ａに接触するよう、それぞれ設定される。
【００４７】
また、画像形成装置５１は、電子写真方式のデジタルコピー機に限らず、例えばインクジェット方式等、他の方式のデジタルコピー機であってもよい。また、画像形成装置５１は、デジタルコピー機に限らず、プリンタ装置、ファクシミリ装置、またはオフセット印刷機として構成してもよい。
【００４８】
以上のように、本実施の形態に係るシート搬送装置１は、シート吸着搬送ベルト１２Ｃが、その回転方向において摩擦係数の低い低摩擦部３２、３４および摩擦係数の高い高摩擦部３１、３３とに区分され、制御手段１９は、高摩擦部３１が最上位シート２Ａに対向する状態で吸引孔１２Ｄからエアーを吸引するとともにシート吸着搬送ベルト１２Ｃの回転を開始し、最上位シート２Ａが下流側シート搬送手段２１に到達するとともに低摩擦部３４が最上位シート２Ａに接触する位置でシート吸着搬送ベルト１２Ｃの回転を停止し、吸引孔１２Ｄからのエアーの吸引を継続するとともに下流側シート搬送手段２１により最上位シート２Ａを搬送するよう制御し、最上位シート２Ａが下流側シート搬送手段２１に到達したときに低摩擦部３４が最上位シート２Ａに接触するよう、低摩擦部３２、３４の長さ、高摩擦部３１、３３の長さ、およびシート吸着搬送ベルト１２Ｃと下流側シート搬送手段２１との距離を設定したことを特徴とする。
【００４９】
この構成により、最上位シート２Ａが低摩擦部３４に接触した状態でこの最上位シート２Ａが下流側シート搬送手段２１により搬送方向下流側に引っ張られるときに、最上位シート２Ａがシート吸着搬送ベルト１２Ｃの低摩擦部３４に接しているので、最上位シート２Ａとシート吸着搬送ベルト１２Ｃとの間の摩擦が少なくなり、摩擦による最上位シート２Ａへのダメージを防止できるとともに、シート吸着搬送ベルト１２Ｃの摩耗を低減し摩耗箇所を低摩擦部３２、３４に限定することができる。
【００５０】
したがって、シート吸着搬送ベルト１２Ｃの摩耗を低減することができる。
【００５１】
また、本実施の形態に係るシート搬送装置１は、シート吸着搬送ベルト１２Ｃが、低摩擦部３２、３４と高摩擦部３１、３３とで、表面状態が異なることを特徴とする。
【００５２】
この構成により、低摩擦部３２、３４と高摩擦部３１、３３とを、同じ材質を用いて構成したまま、表面状態を異ならせることができ、製造コストを低減することができる。
【００５３】
また、本実施の形態に係る画像形成装置５１は、上記のシート搬送装置１を備えることを特徴とする。
【００５４】
この構成により、シート搬送装置１を備える画像形成装置５１において、シート吸着搬送ベルト１２Ｃの摩耗を低減することができる。
【産業上の利用可能性】
【００５５】
以上説明したように、本発明に係るシート搬送装置および画像形成装置は、シート吸着搬送ベルトの摩耗を低減することができるという効果を有し、シート束からエアー吸引により最上位シートを分離して搬送するシート搬送装置およびこのシート搬送装置を備える画像形成装置として有用である。
【符号の説明】
【００５６】
１  シート搬送装置
２  シート束
２Ａ  最上位シート
１１  シート収納部
１１Ａ  積載トレイ
１２  シート吸着搬送手段
１２Ａ、１２Ｂ  ローラ
１２Ｃ  シート吸着搬送ベルト
１２Ｄ  吸引孔
１３  エアー吸引部
１４  エアー送風部
１７  駆動部
１８  シート昇降手段
１９  制御手段
２１  下流側シート搬送手段
５１  画像形成装置
【先行技術文献】
【特許文献】
【００５７】
【特許文献１】特開平１０−２７９１０１号公報
【図１】
0005458855.tif 000002
【図２】
0005458855.tif 000003
【図３】
0005458855.tif 000004
【図４】
0005458855.tif 000005
【図５】
0005458855.tif 000006
【図６】
0005458855.tif 000007
【図７】
0005458855.tif 000008
【図８】
0005458855.tif 000009